(57)【要約】      （修正有）【課題】身体にフィットしズレにくく、また尿量の多い中・大型犬および加齢や疾患により長時間排尿を我慢することが困難な犬でも、尿がモレにくく、排尿後もムレにくい、愛犬のマーキング防止および尿漏れ防止のための介護用マナーベルトを提供する。【解決手段】マナーベルトの外面の生地は、下腹部部分と胴回り部分に裁断され、外面の生地の局部（ペニスから肛門）側に２本の紐ベルトを重ね、マナーベルトの内面の生地は、ネット生地を使用し、下腹から腰回り部分にあたる箇所をステッチ（押さえミシン）を入れ、パイピングテープで外面の生地と内面のネット生地と紐ベルトを縫製してなる構造となっている。【選択図】図１
0003219295.tif 000002
【実用新案登録請求の範囲】
【請求項１】
オスの愛犬がマーキングをしないように、また尿量の多い中・大型犬および加齢や疾患により長時間排尿を我慢することが困難な犬が尿漏れをしないようにする為に、下腹部に装着するマーキング防止および尿漏れ防止のための介護用マナーベルトであって、当該マーキング防止および尿漏れ防止のための介護用マナーベルトの外面の生地は、下腹部部分と胴回り部分に裁断され、下腹部部分と胴回り部分とを縫製してなる構造となっていることを特徴とする、下腹部に装着するマーキング防止および尿漏れ防止のための介護用マナーベルト。
【請求項２】
請求項１記載の下腹部に装着するマーキング防止および尿漏れ防止のための介護用マナーベルトであって、前記マーキング防止および尿漏れ防止のための介護用マナーベルトの外面の生地は、下腹部部分と２枚の胴回り部分を縫製してなる構造となっており、胴回り部分の腰面から背面にかけての幅は下腹部との縫製部分の幅に対して小さくなる構造となっていることを特徴とする、下腹部に装着するマーキング防止および尿漏れ防止のための介護用マナーベルト。
【請求項３】
請求項１記載の下腹部に装着するマーキング防止および尿漏れ防止のための介護用マナーベルトであって、前記マーキング防止および尿漏れ防止のための介護用マナーベルトの外面の生地の下腹部部分において、みぞおち側胴囲に平ゴムを使用しギャザーを寄せて縫製してなる構造となっていることを特徴とする、下腹部に装着するマーキング防止および尿漏れ防止のための介護用マナーベルト。
【請求項４】
請求項１記載の下腹部に装着するマーキング防止および尿漏れ防止のための介護用マナーベルトであって、前記マーキング防止および尿漏れ防止のための介護用マナーベルトの外面の生地の下腹部部分において、後ろ足の足ぐり内側に沿って傾きを有し裁断する構造となっていることを特徴とする、下腹部に装着するマーキング防止および尿漏れ防止のための介護用マナーベルト。
【請求項５】
請求項１記載の下腹部に装着するマーキング防止および尿漏れ防止のための介護用マナーベルトであって、前記マーキング防止および尿漏れ防止のための介護用マナーベルトの外面の生地の局部（ペニスから肛門）側に2本の紐ベルトを重ね、紐ベルトの中央部分に平ゴムを使用しギャザーを寄せて縫製し、臀部の上部にて八角形の面ファスナーにて止める構造となっていることを特徴とする、下腹部に装着するマーキング防止および尿漏れ防止のための介護用マナーベルト。
【請求項６】
請求項１記載の下腹部に装着するマーキング防止および尿漏れ防止のための介護用マナーベルトであって、当該マーキング防止および尿漏れ防止のための介護用ベルトの内面の生地は、ネット生地を使用し、下腹部分から腰回り部分にあたる箇所をステッチ（押さえミシン）を入れ、パイピングテープで外面の生地と内面のネット生地を縫製してなる構造となっていることを特徴とする、下腹部に装着するマーキング防止および尿漏れ防止のための介護用マナーベルト。
【請求項７】
請求項１記載の下腹部に装着するマーキング防止および尿漏れ防止のための介護用マナーベルトであって、前記マーキング防止および尿漏れ防止のための介護用マナーベルトの内面において、尿とりパットを止めるために、ナイロンテープを使用し、ナイロンテープを布幅より短くハの字に縫製してなる構造となっていることを特徴とする、下腹部に装着するマーキング防止および尿漏れ防止のための介護用マナーベルト。
【考案の詳細な説明】
【技術分野】
【０００１】
本考案は、オスの愛犬の下腹部に装着するマーキング防止および尿漏れ防止のための介護用マナーベルトに関するものである。
【背景技術】
【０００２】
現在は下腹部に巻き付けて装着するベルト（腹巻き型）が主流である。
【０００３】
しかしながら、胴回りサイズの調整のみで下腹部に巻き付けて装着するベルト（腹巻き型）では、犬種によって、また体型の身体的個性によって、装着が困難な個体が存在し、そのような個体にも使用出来るマナーベルトが必要とされている。
【０００４】
具体的には、胸板が厚く、広いが、胴回りが急に細くなり、陰部が足の付け根近くにある犬種は胸から胴、股間にかけて幅が狭くなっていくため、下腹部を巻くように装着しても余ったベルト生地が捩れ陰部を挟み込むような形になり、パッドがずれ、尿漏れが起きる。
【０００５】
もしくは、脚と脚の間近くに陰部があり、かつ陰部の長さが短いため、胴にベルトを巻き付けても陰部を覆う事ができない犬種には腹巻き型は適していない。
【０００６】
また、腹巻き型では、耳を掻く、寝転ぶ、伏せをして前進する等、犬特有の動きでベルトが脱げたり、尿とりパッドがベルトの中で縒れて尿漏れが発生することが多い。
【０００７】
そこで、これらの犬種、犬特有の動きにも対応出来るよう生地をお尻の方まで持って来てパッドで陰部を保護する必要がある。
【０００８】
さらに、中型、大型犬の尿の量は市販の犬用の物では吸収量が足りない。そこで介護を必要としている犬や長時間の留守番、夜間のオムツ替えが必要な犬には人間用の尿とりパッドの吸収力の大きさが必要とされており、その吸収力を保持した尿とりパッドを装着する必要がある。
【０００９】
また、排尿後に尿とりパッドが下腹部に接触しているため、愛犬が嫌がって尿とりパッドを外そうと、もがいたり、下腹部にムレが生じるという問題があった。
【００１０】
つまり、マーキング防止および介護用ベルトについて、「ズレ」「モレ」「ムレ」という問題を同時に解消する先行するものは存在していない。
【００１１】
なお、マーキング防止および介護用マナーベルトに関し、本願の出願人は、先行する技術文献を特に知らない。
【考案の概要】
【考案が解決しようとする課題】
【００１２】
本願に係る考案の課題は、従来から存在するマーキング防止用ベルトと異なり、尿量の多い中・大型犬および長時間排尿を我慢することが困難な老犬に対し、吸収力が高い人間の排泄介護用尿とりパッドを用い、身体的個性によって下腹部に巻き付けて装着する事が困難な犬種でも体型にフィットするためベルトがズレにくく、尿とりパッドの吸収力を最大限活用する構造のため尿がモレにくく、排尿後にベルトと身体の間に適度な空間を形成するためムレにくい、愛犬のマーキング防止および介護用ベルトの実現である。
【課題を解決するための手段】
【００１３】
１、
【００１４】
（１）
【００１５】
そこで、本考案に係るマーキング防止および尿漏れ防止のための介護用マナーベルトは、
オスの愛犬がマーキングをしないように、また尿量の多い中・大型犬および加齢や疾患により長時間排尿を我慢することが困難な犬が尿漏れをしないようにするための、 下腹部に装着するマーキング防止および尿漏れ防止のための介護用マナーベルトであって、
当該マーキング防止および尿漏れ防止のための介護用マナーベルトの外面の生地は、下腹部部分と胴回り部分に裁断され、下腹部部分と胴回り部分とを縫製してなる構造となっていることを特徴とする、下腹部に装着するマーキング防止および尿漏れ防止のための介護用マナーベルトである。
当該技術的特徴は、図１ー図６および図７-2, 図７-3 に表現されている。
【００１６】
（２）
【００１７】
一般的に、犬は下腹部の幅と胴部の幅は一定ではなく、底面が正円とする円柱型になることはない。
よって、下腹部と胴回り部分の生地を別々に裁断し、下腹部分と胴回り部分で切り返して生地を縫い合わせて縫製することにより、身体に接する部分が立体的になり、下腹部分は下腹部に、胴回り部分は腰背面部に沿って密着し、歩行時に下腹部と胴部が別々に動いてもベルトが身体にフィットし、切り返し部分が歩行時の支えとなり、ベルトのズレを軽減することができる。
【００１８】
２、
【００１９】
（１）
【００２０】
また、他の本考案に係るマーキング防止および尿漏れ防止のための介護用マナーベルトは、
前記マーキング防止および尿漏れ防止のための介護用マナーベルトの外面の生地は、下腹部部分と２枚の胴回り部分を縫製してなる構造となっており、胴回り部分の腰面から背面にかけての幅は下腹部との縫製部分の幅に対して小さくなる構造となっていることを特徴とする、下腹部に装着するマーキング防止および尿漏れ防止のための介護用マナーベルトである。
当該技術的特徴は、図１ー図６および図７-2, 図７-3 に表現されている。
【００２１】
（２）
【００２２】
一般的に、犬種によって、胸から下腹部にかけて徐々に細くなっていく、体型が存在する。
よって、胴回り部分の生地において、下腹部との縫製部分に対して、腰面・背面の幅を小さく裁断し、下腹部分と胴回り部分を切り返して生地を縫い合わせて縫製することにより、愛犬の身体によりフィットするため、下腹部分で生地が余り、捩れて陰部を挟み込みを防ぐことができ、ベルトのズレを軽減することができる。
【００２３】
３、
【００２４】
（１）
【００２５】
また、他の本考案に係るマーキング防止および尿漏れ防止のための介護用マナーベルトは、
前記マーキング防止および尿漏れ防止のための介護用マナーベルトの外面の生地の下腹部部分において、みぞおち側胴囲に平ゴムを使用しギャザーを寄せて縫製してなる構造となっていることを特徴とする、下腹部に装着するマーキング防止および尿漏れ防止のための介護用マナーベルトである。
当該技術的特徴は、図１ー図６および図７-4 に表現されている。
【００２６】
（２）
【００２７】
個体差による胴回りの長さの違いに対して、みぞおち側胴囲に平ゴムを使用し、ギャザーを寄せて縫製することにより個体差による胴回りの長さの違いによらず、ベルトが身体にフィットしてずれないようにできる。
特に、みぞおち部にギャザーを入れることにより、肌との密着部を最小限にし、通気性を高めることができ、締め付けすぎず、身体に心地よい装着を可能にし、ムレを防止することができる。
また、ゴムのギャザーにより、ベルトと尿とりパッドがフィットしズレにくく、尿とりパッドの吸収欲を高め、尿の漏れを防止することができる。
【００２８】
４、
【００２９】
（１）
【００３０】
また、他の本考案に係るマーキング防止および尿漏れ防止のための介護用マナーベルトは、
前記マーキング防止および尿漏れ防止のための介護用マナーベルトの外面の生地の下腹部部分において、後ろ足の足ぐり内側に沿って傾きを有し裁断する構造となっていることを特徴とする、下腹部に装着するマーキング防止および尿漏れ防止のための介護用マナーベルトである。
当該技術的特徴は、図１ー図６および図７-5 に表現されている。
【００３１】
（２）
【００３２】
一般的に、胴周りに比べ、後ろ足の足ぐり側方向は細くなるため、その差を考慮した傾きを有することによって、より身体にベルトを密着させることができる。
【００３３】
５、
【００３４】
（１）
【００３５】
また、他の本考案に係るマーキング防止および尿漏れ防止のための介護用マナーベルトは、
前記マーキング防止および尿漏れ防止のための介護用マナーベルトの外面の生地の局部（ペニスから肛門）側に2本の紐ベルトを重ね、紐ベルトの中央部分に平ゴムを使用しギャザーを寄せて縫製し、臀部の上部にて八角形の面ファスナーにて止める構造となっていることを特徴とする、下腹部に装着するマーキング防止および尿漏れ防止のための介護用マナーベルトである。
当該技術的特徴は、図１ー図６および図７-6, 図７-7, 図７-8 に表現されている。
【００３６】
（２）
【００３７】
ベルトの外面の表生地の下腹部分の局部（ペニスから肛門）側に紐ベルトを装着することにより、陰部が足の付け根にある場合や胸部から股関節に向かい幅が狭くなる寸胴型ではない個体でも陰部を保護し、陰部から臀部の上部にかけて、紐ベルトの中央部分に平ゴムを使用しギャザーを寄せて縫製し、面ファスナーを八角形にして設置することにより、尻の筋肉の付き方に個体差がある場合でもどの角度からでも紐ベルトを装着することができ、ベルト全体がフィットし、歩行動作時のズレを防止することができる。
排尿後は、紐ゴムの伸縮により、尿を吸収した尿とりパッドを身体に密着させず、 尿とりパッドがベルトから適度に離れて空間を形成するため、尿とりパッドの吸収力を最大化できる。
【００３８】
６、
【００３９】
（１）
【００４０】
また、他の本考案に係るマーキング防止および尿漏れ防止のための介護用マナーベルトは、
当該マーキング防止および尿漏れ防止のための介護用ベルトの内面の生地は、ネット生地を使用し、下腹から腰回り部分にあたる箇所をステッチ（押さえミシン）を入れ、パイピングテープで外面の生地と内面のネット生地を縫製してなる構造となっていることを特徴とする、下腹部に装着するマーキング防止および尿漏れ防止のための介護用マナーベルトである。
当該技術的特徴は、図８-9, 図８-10 に表現されている。
【００４１】
（２）
【００４２】
ネット地を使用し、下腹から腰回り部分にあたる箇所をステッチ（押さえミシン）を入れることにより、外面の生地の中折れ、しわ防止を実現し、設置した尿とりパッドのヨレを防止することできる。
特に、外面の生地との縫製にパイピングテープを使用することにより、外面の生地を連続使用してベルトが伸びてしまったり、洗濯により生地が縮んでしまうことを防止することができる。
【００４３】
７、
【００４４】
（１）
【００４５】
また、他の本考案に係るマーキング防止および尿漏れ防止のための介護用マナーベルトは、
前記マーキング防止および尿漏れ防止のための介護用マナーベルトの内面において、尿とりパットを止めるために、ナイロンテープを使用し、ナイロンテープを布幅より短くハの字に縫製してなる構造となっていることを特徴とする、下腹部に装着するマーキング防止および尿漏れ防止のための介護用マナーベルトである。
当該技術的特徴は、図８-11 に表現されている。
【００４６】
（２）
【００４７】
ナイロンテープでパット止めすることにより、ベルト内でパッドのズレを防止することができる。またナイロンテープであるため、伸びにくく、臭いがつきにくく、また撥水性があり乾きやすい。
特に、ナイロンテープを布幅より短くハの字に縫い付けることにより、その差の分だけ布地が引っ張られ、立体的な丸みをつくり、そこに適度な空間ができる。そのことにより、排尿後尿を吸収した尿とりパッドがその空間に落ちやすくなり、肌との密着部分を最小化することにより、ムレを防止することができる。また紐ベルトがそれ以上の重力による落ち込みを防ぐことができる。
【考案の効果】
【００４８】
本願に係る考案により、尿量の多い中・大型犬および加齢や疾患により長時間排尿を我慢することが困難な老犬に対し、吸収力が高い人間の排泄介護用尿とりパッドを用い、身体的個性によって下腹部に巻き付けて装着する事が困難な犬種でも体型にフィットするためベルトがずれにくく、尿とりパッドの吸収力を最大限活用する構造のため尿が漏れにくく、排尿後にベルトと身体の間に適度な空間を形成するためムレにくい、介護用マナーベルトの実現ができる。
【図面の簡単な説明】
【００４９】
【図１】本願に係る考案の実施品の一例の斜視図である。
【図２】本願に係る考案の実施品の一例の正面図である。
【図３】本願に係る考案の実施品の一例の背面図である。
【図４】本願に係る考案の実施品の一例の平面図である。
【図５】本願に係る考案の実施品の一例の底面図である。
【図６】本願に係る考案の実施品の一例の側面図である。
【図７】本願に係る考案の実施品の一例の広げた状態の縮小表面図である。
【図８】本願に係る考案の実施品の一例の広げた状態の縮小裏面図である。
【図９】本願に係る考案の実施品の一例の使用状態を示す参考図である。
【図１０】本願に係る考案の実施品の一例の使用状態を示す参考図である。
【図１１】本願に係る考案の実施品の一例の使用状態を示す参考図である。
【考案を実施するための形態】
【００５０】
本願に係る考案の実施品の一例を説明する。
本願に係る考案の実施品は、
オスの愛犬がマーキングをしないように、また尿量の多い中・大型犬および加齢や疾患により長時間排尿を我慢することが困難な犬が尿漏れをしないようにする為に、下腹部に装着するマーキング防止および尿漏れ防止のための介護用マナーベルトであって、
当該マーキング防止および尿漏れ防止のための介護用マナーベルトの外面の生地は、下腹部部分と胴回り部分に裁断され、下腹部部分と胴回り部分とを縫製してなる構造となっていること、を特徴とする、下腹部に装着するマーキング防止および尿漏れ防止のための介護用マナーベルトである。
【００５１】
また、他の実施例では、
前記マーキング防止および尿漏れ防止のための介護用マナーベルトの外面の生地は、下腹部部分と２枚の胴回り部分を縫製してなる構造となっており、胴回り部分の腰面から背面にかけての幅は下腹部との縫製部分の幅に対して小さくなる構造となっている。
【００５２】
また、他の実施例では、
前記マーキング防止および尿漏れ防止のための介護用マナーベルトの外面の生地の下腹部部分において、みぞおち側胴囲に平ゴムを使用しギャザーを寄せて縫製してなる構造となっている。
【００５３】
また、他の実施例では、
前記マーキング防止および尿漏れ防止のための介護用マナーベルトの外面の生地の下腹部部分において、後ろ足の足ぐり内側に沿って傾きを有し裁断する構造となっている。
【００５４】
また、他の実施例では、
前記マーキング防止および尿漏れ防止のための介護用マナーベルトの外面の生地の局部（ペニスから肛門）側に2本の紐ベルトを重ね、紐ベルトの中央部分に平ゴムを使用しギャザーを寄せて縫製し、臀部の上部にて八角形の面ファスナーにて止める構造となっている。
【００５５】
また、他の実施例では、
当該マーキング防止および尿漏れ防止のための介護用ベルトの内面の生地は、ネット生地を使用し、下腹から腰回り部分にあたる箇所をステッチ（押さえミシン）を入れ、パイピングテープで外面の生地と内面のネット生地を縫製してなる構造となっている。
【００５６】
また、他の実施例では、
前記マーキング防止および尿漏れ防止のための介護用マナーベルトの内面において、尿とりパットを止めるために、ナイロンテープを使用し、ナイロンテープを布幅より短くハの字に縫製してなる構造となっている。
【００５７】
このようにして生産した本願に係る考案の実施品についての図を説明すると、
図１が、本願に係る考案の実施品の一例の斜視図である。
図２が、本願に係る考案の実施品の一例の正面図である。
図３が、本願に係る考案の実施品の一例の背面図である。
図４が、本願に係る考案の実施品の一例の平面図である。
図５が、本願に係る考案の実施品の一例の底面図である。
図６が、本願に係る考案の実施品の一例の側面図である。
図７が、本願に係る考案の実施品の一例の広げた状態の縮小表面図である。
図８が、本願に係る考案の実施品の一例の広げた状態の縮小裏面図である。
図９が、本願に係る考案の実施品の一例の使用状態を示す参考図である。
図１０が、本願に係る考案の実施品の一例の使用状態を示す参考図である。
図１１が、本願に係る考案の実施品の一例の使用状態を示す参考図である。
【産業上の利用可能性】
【００５８】
本願に係る考案の実施品を製造、販売することにより、産業の発達に寄与することができる。
【符号の説明】
【００５９】
１  マナーベルト本体
２  マナーベルト外面表生地  下腹部
３  マナーベルト外面表生地  腰回り部
４  マナーベルト外面表生地  ギャザー部
５  マナーベルト外面表生地  足ぐり部
６  マナーベルト外面表生地  紐ベルト部
７  マナーベルト外面表生地  紐ベルトギャザー部
８  マナーベルト外面表生地  正八角形面ファスナー部
９  マナーベルト内面裏生地  ネット地部
１０  マナーベルト内面裏生地  パイピング縫製部
１１  マナーベルト内面裏生地  ナイロンテープ尿とりパッド固定部
【図１】
0003219295.tif 000003
【図２】
0003219295.tif 000004
【図３】
0003219295.tif 000005
【図４】
0003219295.tif 000006
【図５】
0003219295.tif 000007
【図６】
0003219295.tif 000008
【図７】
0003219295.tif 000009
【図８】
0003219295.tif 000010
【図９】
0003219295.tif 000011
【図１０】
0003219295.tif 000012
【図１１】
0003219295.tif 000013